(57)【要約】      （修正有）【課題】垂直に構成された角面の面と粘着テープ貼付目的面の隅に一定の隙間を空け粘着テープを効率的に貼り付ける器具を提供する。【解決手段】貼付器具１は、鋭角な二つの角部を持つ平面板状の基部を粘着テープと同幅の隙間を持って対とした基部２と、基部２の中心部に形成された粘着テープロールと同幅にて回転自在に保持する保持部３と、基部２の対となった鋭角な二つの角部には粘着テープと同幅の粘着テープ貼付押圧体４と、粘着テープ切断用刃５とを形成し構成されている。粘着テープを引き出し基部２の板面を面に押し当て押圧体４にて引き出した粘着テープ背面を面に垂直な面に押し当て粘着テープを面と垂直な面との境界線の隅に基部２の厚みの幅の隙間を空けて貼り付けることが出来る。貼り付けを終える際には貼付器具１を面に対し垂直方向に回転させ押圧体４があった位置へ切断刃５を移動させ切断する。【選択図】図３
0003146874.tif 000002
【実用新案登録請求の範囲】
【請求項１】
鋭角な二つの角部を持つ平面板状の基部を粘着テープと同幅の隙間を持って対とした基部に、粘着テープと同幅で挟まれた中心部に粘着テープロールを挟み込み回転自在に保持する粘着テープと同幅の保持部を形成し、鋭角な二つの角部を持つ平面板状の基部を粘着テープと同幅にて対とし粘着テープと同幅で挟まれた鋭角な角部の一つに粘着テープと同幅の貼り付け押圧体を形成し挟み込み保持し、鋭角な二つの角部を持つ平面板状の基部を粘着テープと同幅にて対とし粘着テープと同幅で挟まれた鋭角な角部の一つに粘着テープと同幅の粘着テープ切断用刃を形成し、この３つの形成部以外は開口部とし、この３つの形成部にて鋭角な二つの角部を持つ平面板状の基部を粘着テープと同幅にて対とし接続されていることを特徴とする粘着テープ貼り付け器具。
【考案の詳細な説明】
【技術分野】
【０００１】
本考案は、粘着テープの貼付具に関するものである。
【背景技術】
【０００２】
従来、コーキング作業に於ける、窓枠など垂直の面同士で構成された角面をコーキングするために、角面を構成する垂直の面の両面に任意の一定の隙間を空けるように粘着テープを貼り付けマスキングすることで、コーキング剤が角面に一定の幅で充填され、また角面以外にコーキング剤が付着しないように保護することを必要とする。この作業に於いて、手作業で任意の一定の隙間を形成しながら少量ずつ貼り付け作業を行っている。
【考案の開示】
【考案が解決しようとする課題】
【０００３】
しかしながら、手作業で任意の一定の隙間を形成しながら貼り付けるには、少量ずつ粘着テープを引き出し貼り付けるため効率が悪い。そこで、この考案は、角面を構成する垂直の面の両面に任意の一定の隙間を空けるように粘着テープを効率的に貼り付けることができる器具を提供することを課題とする。
【課題を解決するための手段】
【０００４】
以上の課題を解決するために、請求項１を特徴とする構成により解決する。面と粘着テープ貼り付け目的面とで垂直に構成された角面に粘着テープを貼り付ける際、鋭角な二つの角部を持つ平面板状の基部を粘着テープと同幅の隙間を持って対とした基部の中心部に粘着テープを挟み込み回転自在に保持する粘着テープと同幅の保持部を形成し、ここに粘着テープロールを保持させ、鋭角な二つの角部を持つ平面板状の基部を粘着テープと同幅の隙間を持って対とした基部の対となった鋭角な角部の一つに粘着テープと同幅にて形成された貼り付け押圧体にて粘着テープを粘着テープ貼付目的面に貼り付ける。その際に面と粘着テープ貼り付け目的面とで垂直に構成された角面の面に鋭角な二つの角部を持つ平面板状の基部を粘着テープと同幅の隙間を持って対とした基部の一方の板面を押し付けながら粘着テープを貼り付けることにより、鋭角な二つの角部を持つ平面板状の基部を粘着テープと同幅の隙間を持って対とした基部の一方の平面板状の基部の厚みの隙間を面と粘着テープ貼り付け目的面とで垂直に構成された角面の粘着テープ貼り付け目的面に形成しながら貼り付けることが出来る。粘着テープを任意の長さで引き出しながら、この貼り付け作業を連続的に繰り返す。粘着テープ貼り付け目的面に粘着テープを貼り付け、任意の長さで貼り付けを終える際には鋭角な二つの角部を持つ平面板状の基部を粘着テープと同幅の隙間を持って対とした基部の鋭角な角部の一つに形成された粘着テープと同幅の粘着テープ切断用刃を、粘着テープを貼付対象に貼り付け保持した状態のまま、粘着テープと同幅の保持部と粘着テープと同幅の貼り付け押圧体と粘着テープ切断用刃以外は開口部となっているため、基部全体を貼付対象面に対し垂直方向に回転させ、粘着テープ貼り付け押圧体があった位置へ粘着テープ切断用刃を移動させ粘着テープを切断する。
【考案の効果】
【０００５】
本考案の請求項１によれば、粘着テープを垂直に形成された角面に任意の一定の隙間を空けながら粘着テープを効率的に貼り付けることができるようになったため、コーキング作業時に於ける垂直に構成された角面への粘着テープの貼り付け作業を効率的にできるようになった。
【考案を実施するための最良の形態】
【０００６】
以下、本考案における好ましい実施例について、添付図面を参照しながら説明する。図１及び、図２及び、図３及び、図４に於いて、１は全体として本考案による貼り付け器具を示し、この貼り付け器具１は鋭角な二つの角部を持つ平面板状の基部を粘着テープと同幅の隙間を持って対とした基部２と、２の中心部に２に挟まれ形成された粘着テープを回転自在に保持する粘着テープと同幅の保持部３と、２の対となった鋭角な二つの角部の一方の角に挟まれ粘着テープと同幅にて形成された粘着テープ貼付押圧体４と、２の対となった鋭角な二つの角部の一方の角に挟まれ粘着テープと同幅にて形成された粘着テープ切断用刃５とで構成されている。実際上、この貼り付け器具１は図３に示すとおり、コーキング作業時に於いて、角面を構成する面６と粘着テープを貼り付けることを目的とする面７とが垂直に角面を構成している際、貼付具１を使用者が確実に保持し、粘着テープロール保持部を形成した３に粘着テープを回転自在に保持させ、粘着テープを引き出し、鋭角な二つの角部を持つ平面板状の基部を粘着テープと同幅にて対として形成した板状の基部２の板面を面６に押し当て、貼付け用押圧体４にて引き出した粘着テープ背面を面７に押し当てることで粘着テープを面７に面６との境界線の隅に２の厚みの幅の隙間を空けて貼り付けることが出来る。この貼付作業を粘着テープを任意の長さで引き出しながら連続的に繰り返すことで、長距離の貼付作業に於いても面７に、面６との境界線の隅に２の厚み幅の隙間を空けて貼り付けることが出来る。また、任意の長さで貼り付けを終える際には図４に示すとおり、切断用刃５を、粘着テープを面７に貼り付け保持した状態のまま、図２に示すとおり、粘着テープ保持部３と粘着テープと同幅の貼り付け押圧体４と粘着テープ切断用刃５以外は開口部となっているため、貼り付け器具１を面７に対し垂直方向に回転させ、粘着テープ貼り付け押圧体４があった位置へ粘着テープ切断用刃５を移動させ粘着テープを切断する。
【０００７】
「実施形態の効果」
この考案は、以上のとおり構成されるのでつぎのとおりの効果を有する。
１．垂直の面同士で構成された角面の面と粘着テープ貼り付け目的面の隅に一定の隙間を空け粘着テープを効率的に貼り付けることが出来るようになった。
【０００８】
「他の実施形態」
図５に示すとおり、板状の基部２は任意の厚みでも良い。
図５に示すとおり、粘着テープ切断刃５は金属で形成した刃でも良い。
【図面の簡単な説明】
【０００９】
【図１】この考案の一実施形態を示す略線的斜視図である。
【図２】この考案の一実施形態を示す略線的側面図である。
【図３】この考案の使用状況を示す略線的斜視図である。
【図４】この考案の使用状況を示す略線的斜視図である。
【図５】他の実施形態を示す略線的斜視図である。
【符号の説明】
【００１０】
１  この考案による貼付具
２  鋭角な二つの角部を持つ平面板状の基部を粘着テープと同幅の隙間を持って対とした基部
３  粘着テープロール保持部
４  圧着部
５  粘着テープ切断刃
６  ７と垂直に角面を構成する面
７  ６と垂直に角面を構成する面
【図１】
0003146874.tif 000003
【図２】
0003146874.tif 000004
【図３】
0003146874.tif 000005
【図４】
0003146874.tif 000006
【図５】
0003146874.tif 000007